(57)【特許請求の範囲】
【請求項１】
入力信号に応じたＰＷＭ信号を発生するＰＷＭ発生回路と、該ＰＷＭ発生回路の出力端子に一端が接続されたカップリングコンデンサと、該カップリングコンデンサの他端に一端が接続されたローパスフィルタと、該ローパスフィルタの他端に接続されたスピーカと、前記カップリングコンデンサの一端に出力端子が接続された可変電流源回路とを具備し、
前記可変電流源回路は、前記ＰＷＭ発生回路のキャリアパルスの平均値と同じ電圧を発生するバッファ増幅器と、該バッファ増幅器で発生した電圧の出力を制御するアナログスイッチと、導通度が徐々に大きくなるように可聴域よりも低い周波数の波長に相当する時定数で前記アナログスイッチを制御する時定数発生回路とを有し、
起動時の動作シーケンスを、前記ＰＷＭ発生回路の動作開始に先だって動作を開始させた前記可変電流源回路から出力する電圧が前記バッファ増幅器の出力電圧と同じになったとき前記可変電流源回路の動作を停止し、その後に所定時間経過してから前記ＰＷＭ発生回路の動作を開始させるシーケンスとしたことを特徴とする増幅装置。
【請求項２】
入力信号に応じたＰＷＭ信号を発生するＰＷＭ発生回路と、該ＰＷＭ発生回路の出力端子に一端が接続されたカップリングコンデンサと、該カップリングコンデンサの他端に一端が接続されたローパスフィルタと、該ローパスフィルタの他端に接続されたスピーカと、前記カップリングコンデンサの一端に出力端子が接続され前記ＰＷＭ発生回路のキャリアパルスの平均値と同じ電圧を発生する終端回路とを具備し、
停止時の動作シーケンスを、前記ＰＷＭ発生回路の動作を停止させる所定時間前に前記終端回路の動作を開始させ、前記ＰＷＭ発生回路の動作の停止から所定時間経過後に前記終端回路の動作を停止させるシーケンスとしたことを特徴とする増幅装置。
【請求項３】
入力信号に応じたＰＷＭ信号を発生するＰＷＭ発生回路と、該ＰＷＭ発生回路の出力端子に一端が接続されたカップリングコンデンサと、該カップリングコンデンサの他端に一端が接続されたローパスフィルタと、該ローパスフィルタの他端に接続されたスピーカと、前記カップリングコンデンサの一端に出力端子が接続された可変電流源回路と、前記カップリングコンデンサの一端に出力端子が接続され前記ＰＷＭ発生回路のキャリアパルスの平均値と同じ電圧を発生する終端回路とを具備し、
前記可変電流源回路は、前記ＰＷＭ発生回路のキャリアパルスの平均値と同じ電圧を発生するバッファ増幅器と、該バッファ増幅器で発生した電圧の出力を制御するアナログスイッチと、該アナログスイッチの導通度が徐々に大きくなるように可聴域より低い周波数の波長に相当する時定数で制御する時定数発生回路とを有し、
起動時の動作シーケンスを、前記ＰＷＭ発生回路の動作開始に先だって動作を開始させた前記可変電流源回路から出力する電圧が前記バッファ増幅器の出力電圧と同じになったとき前記可変電流源回路の動作を停止し、その後に所定時間経過してから前記ＰＷＭ発生回路の動作を開始させるシーケンスとし、
停止時の動作シーケンスを、前記ＰＷＭ発生回路の動作を停止させる所定時間前に前記終端回路の動作を開始させ、前記ＰＷＭ発生回路の動作の停止から所定時間経過後に前記終端回路の動作を停止させるシーケンスとしたことを特徴とする増幅装置。
【請求項４】
請求項３に記載の増幅装置において、
前記起動時の動作シーケンスを、前記ＰＷＭ発生回路の動作開始に先だって動作を開始させた前記可変電流源回路から出力する電圧が前記バッファ増幅器の出力電圧と同じになったとき前記可変電流源回路の動作を停止し、その後に所定時間経過してから前記ＰＷＭ発生回路の動作を開始させ、前記可変電流源回路の動作が停止してから前記ＰＷＭ発生回路の動作が開始するまでの期間中は前記終端回路を動作させるシーケンスに置換したことを特徴とする増幅装置。
【請求項５】
請求項３に記載の増幅装置において、
前記起動時の動作シーケンスを、前記ＰＷＭ発生回路の動作開始に先だって動作を開始させた前記可変電流源回路から出力する電圧が前記バッファ増幅器の出力電圧と同じになったとき前記可変電流源回路の動作を停止し、その後に所定時間経過してから前記ＰＷＭ発生回路の動作を開始させ、前記可変電流源回路の動作停止の所定時間前から前記ＰＷＭ発生回路の動作開始後の所定期間経過までの期間中は前記終端回路を動作させるシーケンスに置換したことを特徴とする増幅装置。
【発明の詳細な説明】
【０００１】
【発明の属する技術分野】
本発明は、ＰＷＭ方式を利用した増幅装置において、その起動時や停止時に流れる突入電流によって発生する音（ポップ音）を低減させる技術に関するものである。
【０００２】
【従来の技術】
図１６は従来の増幅装置の構成を示すブロック図である。図１６において、４００はカップリングコンデンサ、５００はローパスフィルタを構成するインダクタ、６００はローパスフィルタを構成するコンデンサ、７００はスピーカ、８００は増幅器である。
【０００３】
増幅器８００でＰＷＭ変調方式により変調され増幅された音声信号は、カップリングコンデンサ４００を介してインダクタ５００とコンデンサ６００からなるローパスフィルタに入力することによりそこで平滑され、スピーカ７００を駆動する。
【０００４】
しかし、この増幅装置では、その起動時にはカップリングコンデンサ４００に音声信号のＰＷＭ波（このときは５０％デューティ）の中心電圧（バイアス電圧）にまで充電が行われ、停止時にはその放電が行われる。このため、この充電時や放電時に流れる突入電流がスピーカ７００に流れることによって、ポップ音が発生する。
【０００５】
そこで、このポップ音を低減させるために、従来では、スピーカ７００に並列にトランジスタ９００を接続し、トランジスタ制御回路１０００によってそのトランジスタ９００を起動時や停止時にオンさせることにより、スピーカ７００を短絡させることが行われていた。
【０００６】
【発明が解決しようとする課題】
しかしながら、この増幅装置では、トランジスタ９００やトランジスタ制御回路１０００を別途設ける必要があり、実装面積が増大するという問題があった。
【０００７】
本発明の目的は、上記したトランジスタや制御回路を使用することなく、起動時や停止時のポップ音発生を抑制できるようにした増幅装置を提供することである。
【０００８】
【課題を解決するための手段】
請求項１に係る発明は、入力信号に応じたＰＷＭ信号を発生するＰＷＭ発生回路と、該ＰＷＭ発生回路の出力端子に一端が接続されたカップリングコンデンサと、該カップリングコンデンサの他端に一端が接続されたローパスフィルタと、該ローパスフィルタの他端に接続されたスピーカと、前記カップリングコンデンサの一端に出力端子が接続された可変電流源回路とを具備し、前記可変電流源回路は、前記ＰＷＭ発生回路のキャリアパルスの平均値と同じ電圧を発生するバッファ増幅器と、該バッファ増幅器で発生した電圧の出力を制御するアナログスイッチと、導通度が徐々に大きくなるように可聴域よりも低い周波数の波長に相当する時定数で前記アナログスイッチを制御する時定数発生回路とを有し、起動時の動作シーケンスを、前記ＰＷＭ発生回路の動作開始に先だって動作を開始させた前記可変電流源回路から出力する電圧が前記バッファ増幅器の出力電圧と同じになったとき前記可変電流源回路の動作を停止し、その後に所定時間経過してから前記ＰＷＭ発生回路の動作を開始させるシーケンスとしたことを特徴とする増幅装置とした。
【０００９】
請求項２に係る発明は、入力信号に応じたＰＷＭ信号を発生するＰＷＭ発生回路と、該ＰＷＭ発生回路の出力端子に一端が接続されたカップリングコンデンサと、該カップリングコンデンサの他端に一端が接続されたローパスフィルタと、該ローパスフィルタの他端に接続されたスピーカと、前記カップリングコンデンサの一端に出力端子が接続され前記ＰＷＭ発生回路のキャリアパルスの平均値と同じ電圧を発生する終端回路とを具備し、
停止時の動作シーケンスを、前記ＰＷＭ発生回路の動作を停止させる所定時間前に前記終端回路の動作を開始させ、前記ＰＷＭ発生回路の動作の停止から所定時間経過後に前記終端回路の動作を停止させるシーケンスとしたことを特徴とする増幅装置とした。
【００１０】
請求項３にかかる発明は、入力信号に応じたＰＷＭ信号を発生するＰＷＭ発生回路と、該ＰＷＭ発生回路の出力端子に一端が接続されたカップリングコンデンサと、該カップリングコンデンサの他端に一端が接続されたローパスフィルタと、該ローパスフィルタの他端に接続されたスピーカと、前記カップリングコンデンサの一端に出力端子が接続された可変電流源回路と、前記カップリングコンデンサの一端に出力端子が接続され前記ＰＷＭ発生回路のキャリアパルスの平均値と同じ電圧を発生する終端回路とを具備し、前記可変電流源回路は、前記ＰＷＭ発生回路のキャリアパルスの平均値と同じ電圧を発生するバッファ増幅器と、該バッファ増幅器で発生した電圧の出力を制御するアナログスイッチと、該アナログスイッチの導通度が徐々に大きくなるように可聴域より低い周波数の波長に相当する時定数で制御する時定数発生回路とを有し、起動時の動作シーケンスを、前記ＰＷＭ発生回路の動作開始に先だって動作を開始させた前記可変電流源回路から出力する電圧が前記バッファ増幅器の出力電圧と同じになったとき前記可変電流源回路の動作を停止し、その後に所定時間経過してから前記ＰＷＭ発生回路の動作を開始させるシーケンスとし、停止時の動作シーケンスを、前記ＰＷＭ発生回路の動作を停止させる所定時間前に前記終端回路の動作を開始させ、前記ＰＷＭ発生回路の動作の停止から所定時間経過後に前記終端回路の動作を停止させるシーケンスとしたことを特徴とする増幅装置とした。
【００１１】
請求項４に係る発明は、請求項３に係る発明において、前記起動時の動作シーケンスを、前記ＰＷＭ発生回路の動作開始に先だって動作を開始させた前記可変電流源回路から出力する電圧が前記バッファ増幅器の出力電圧と同じになったとき前記可変電流源回路の動作を停止し、その後に所定時間経過してから前記ＰＷＭ発生回路の動作を開始させ、前記可変電流源回路の動作が停止してから前記ＰＷＭ発生回路の動作が開始するまでの期間中は前記終端回路を動作させるシーケンスに置換したことを特徴とする増幅装置とした。
【００１２】
請求項５に係る発明は、請求項３に係る発明において、前記起動時の動作シーケンスを、前記ＰＷＭ発生回路の動作開始に先だって動作を開始させた前記可変電流源回路から出力する電圧が前記バッファ増幅器の出力電圧と同じになったとき前記可変電流源回路の動作を停止し、その後に所定時間経過してから前記ＰＷＭ発生回路の動作を開始させ、前記可変電流源回路の動作停止の所定時間前から前記ＰＷＭ発生回路の動作開始後の所定期間経過までの期間中は前記終端回路を動作させるシーケンスに置換したことを特徴とする増幅装置とした。
【００１５】
【発明の実施の形態】
ポップ音を抑制するためには、スピーカに流れる電流を制御して、そのスピーカによる空気振動が可聴域の範囲外（２０Ｈｚ以下、２０ＫＨｚ以上）になるようにするか、あるいは可聴域（２０Ｈｚ〜２０ＫＨｚ）であっても人間が聞き取れるエネルギー以下にする必要がある。
【００１６】
前者の場合、スピーカに流れ込む電流の周波数成分が１０Ｈｚであったとしても、通常では、２０Ｈｚ以上の周波数成分をもつ高調波成分が生成されるが、そのエネルギーが小さければ、音は実質的に聞こえない。そして、高調波成分を少なくするためには、１０Ｈｚよりも更に低い周波数を基本波とすることが効果的である。
【００１７】
そこで、本発明では、起動時や停止時にスピーカに流れ込む電流の基本波成分が充分低い周波数領域になるように制御して、起動時や停止時のポップ音発生を抑制するものである。以下、詳しく説明する。
【００１８】
［第１の実施の形態］
図１は起動時のポップ音軽減対策を施した本発明の第１の実施の形態の増幅装置のブロック図である。１００は図示しない入力端子から入力するアナログ或いはデジタルの音声信号をＰＷＭ変調し増幅した音声信号を出力するＰＷＭ発生回路、２００は可変電流源回路、４００はカップリングコンデンサ、５００はローパスフィルタを構成するインダクタ、６００はローパスフィルタを構成するコンデンサ、７００はスピーカである。
【００１９】
ＰＷＭ発生回路１００の出力端子と可変電流源回路２００の出力端子はカップリングコンデンサ４００の片端のノードＮ１に共通接続されている。ＰＷＭ発生回路１００はイネーブル端子１０１の電位ＥＮPWMが「Ｌ」のときは非動作状態にあり、「Ｈ」になっている期間動作する。動作中は、入力音声信号をＰＷＭ変調し増幅して出力するが、非変調時には５０％デューティのパルス（キャリアパルス）を出力するので、その平均電圧（直流電圧）はバイアス電圧Ｖbiasとなる。可変電流源回路２００はイネーブル端子２０１の電位ＥＮCCが「Ｌ」のときは非動作状態にあり、「Ｈ」になることにより、所定時間経過後に前記したバイアス電圧Ｖbiasに落ち着く電圧を発生する。
【００２０】
本実施形態では、図２に示すシーケンスでＰＷＭ発生回路１００のイネーブル端子１０１の電位と可変電流源回路２００のイネーブル端子２０１を制御し、起動時のポップ音を軽減させる。電源投入の後、まずイネーブル端子２０１のみを「Ｈ」にする。これにより、可変電流源回路１００の出力電流によってカップリングコンデンサ４００が充電されるが、その充電時定数が可聴域の低い側（２０Ｈｚ）に相当する波長５０ｍｓの２倍以上となるようにしておく。そして、ノードＮ１の電位がＶbiasに達した後に、イネーブル端子２０１を「Ｈ」→「Ｌ」に切り替え、同時にイネーブル１０１を「Ｌ」→「Ｈ」に切り替え、ＰＷＭ発生回路１００の動作を開始させる。この出力信号は５０％デューティのパルス（直流成分がＶbias）となっているようにする。
【００２１】
このように制御することによって、カップリングコンデンサ４００に充電される電流の周波数成分を、可聴域の低い側の周波数（２０Ｈｚ）よりも充分低くすることができるので、効果的に起動時のポップ音を軽減させることができる。
【００２２】
図３は上記した可変電流源回路２００の内部回路を示す回路図である。２０２、２０３は電源電圧を分圧するブリーダ抵抗、２０４〜２０６はｐＭＯＳトランジスタ、２０７〜２０９はｎＭＯＳトランジスタ、２１０〜２１２はインバータ、２１３は電圧ホロアからなるバッファ増幅器、２１４、２１５は電流源、２１６、２１７はコンデンサ、２１８は出力端子である。トランジスタ２０６、２０９はアナログスイッチを構成し、電流源２１４、２１５とコンデンサ２１６、２１７は時定数発生回路を構成する。
【００２３】
イネーブル端子２０１が「Ｌ」のときは、トランジスタ２０４、２０７がカットオフしており、抵抗２０２、２０３の共通接続点はフローティングである。また、バッファ増幅器２１３はイネーブル端子２０１により内部の電流源が遮断され動作が停止している。トランジスタ２０５、２０８は導通してコンデンサ２１６、２１７を短絡し、その電荷を放電している。さらに、トランジスタ２０６、２０９からなるアナログスイッチは、ゲート電位Ｖｐが「Ｈ」、Ｖｎが「Ｌ」となり、カットオフしている。
【００２４】
イネーブル端子２０１が「Ｈ」になると、上記と逆に、トランジスタ２０４、２０７が導通し、トランジスタ２０５、２０８がカットオフし、またバッファ増幅器２１３が動作する。トランジスタ２０４、２０７の導通により、ブリーダ抵抗２０２、２０３により前記したバイアス電圧Ｖbiasが発生し、バッファ増幅器２１３でインピーダンス変換されてトランジスタ２０６、２０９からなるアナログスイッチに入力する。このとき、コンデンサ２１６は電流源２１４により充電が進行し、ゲート電位Ｖｐの電位が時間と共に低下する。また、コンデンサ２１７も電流源２１５により充電が進行し、ノードＶｎの電位が時間と共に上昇する。したがって、トランジスタ２０６、２０９からなるアナログスイッチは徐々に導通度を高くし、出力端子２１８の電圧Ｖoutは徐々に変化して最終的にバッファ増幅器２１３の出力電圧Ｖbiasに落ち着く。
【００２５】
このとき、出力電圧Ｖoutの変化率は、電流源２１４、２１５の電流値を調整しておくことにより、任意に設定できる。したがって、前記した可聴域の低い側の周波数（２０Ｈｚ）に相当する５０ｍｓの２倍以上の時間経過でＶbiasに落ち着くよう設定することで、その変化の基本波の周波数を１０Ｈｚ以下に設定することができる。
【００２６】
図４は図３の可変電流源回路２００の動作のタイミングチャートである。出力端子２１８の電圧Ｖoutは、コンデンサ４００の残留電荷によって不定状態にあるが、０Ｖあるいは低電圧のときは上昇し、また高電圧のときは下降して、それぞれＶbiasに落ち着く。
【００２７】
図５は図２に示したシーケンスの変形例を示す図である。図２に示すシーケンスでは、可変電流源回路２００のイネーブル端子２０１を「Ｈ」→「Ｌ」に切り替えるとき同時にＰＷＭ発生回路１００のイネーブル端子１０１の電位を「Ｌ」→「Ｈ」に切り替えていたが、この方法では可変電流源回路２００とＰＷＭ発生回路１００との間で貫通電流が流れる恐れがある。この貫通電流は、消費電流の増大や電源変動を引き起こし回路動作に悪影響を及ぼす。
【００２８】
そこで、図５では、可変電流源回路２００のイネーブル端子２０１を「Ｈ」→「Ｌ」に切り替えてから、所定時間ｔ１だけ経過した後に、ＰＷＭ発生回路１００のイネーブル端子１０１の電位を「Ｌ」→「Ｈ」に切り替えるように、ノンオーバーラップ期間を設けた。このノンオーバーラップ期間ｔ１は、可変電流源回路２００とＰＷＭ発生回路１００はいずれも出力インピーダンスが無限大で、貫通電流が流れることはない。
【００２９】
［第２の実施形態］
図６は停止時のポップ音軽減対策を施した本発明の第２の実施の形態の増幅装置のブロック図である。３００はバイアス電圧Ｖbiasを発生する終端回路であり、他は図１と同じである。
【００３０】
ＰＷＭ発生回路１００の出力端子と終端回路３００の出力端子はカップリングコンデンサ４００の片端のノードＮ１に共通接続されている。ＰＷＭ発生回路１００はイネーブル端子１０１の電位ＥＮPWMの「Ｌ」、「Ｈ」に応じて前記したように動作する。終端回路３００はイネーブル端子３０１の電位ＥＮTERMが「Ｌ」のときは非動作状態にあり、「Ｈ」になることによりバイアス電圧Ｖbiasを発生する。
【００３１】
本実施形態では、図７に示すシーケンスでイネーブル端子１０１の電位、３０１を制御し、停止時のポップ音を軽減させる。停止時にはそれに先立ち、ＰＷＭ発生回路１００への音声信号入力を予め遮断してキャリアパルス（直流成分はＶbias）のみが出力されるようにしてから、ＰＷＭ発生回路１００のイネーブル端子１０１の電位を「Ｈ」→「Ｌ」にすると同時に、終端回路３００のイネーブル端子３０１を「Ｌ」→「Ｈ」にする。
【００３２】
このように制御することにより、終端回路３００からＰＷＭ発生回路１００のキャリアパルスの直流成分と同じ電圧Ｖbiasが出力するので、切替時のインダクタ５００の逆起電力による電流は終端回路３００に流れ込んで吸収され、ポップ音が軽減される。そして、その逆起電力が消滅する時間が経過した後に、終端回路３００のイネーブル端子３０１を「Ｈ」→「Ｌ」に復帰して、終端回路３００の動作を終了させる。
【００３３】
図８は上記した終端回路３００の内部回路を示す回路図である。３０２、３０３は電源電圧を分圧するブリーダ抵抗、３０４はｐＭＯＳトランジスタ、３０５はｎＭＯＳトランジスタ、３０６はインバータ、３０７は出力端子である。
【００３４】
イネーブル端子３０１が「Ｌ」のときは、トランジスタ３０４、３０５がカットオフし、抵抗３０２、３０３の共通接続点、つまり出力端子３０７はフローティングとなる。イネーブル端子３０１が「Ｈ」になると、上記と逆に、トランジスタ３０４、３０５が導通し、ブリーダ抵抗３０２、３０３の分圧により前記したバイアス圧Ｖbiasが発生する。
【００３５】
図９は図７に示したシーケンスの変形例を示す図である。図７に示すシーケンスでは、終端回路３００のイネーブル端子３０１を「Ｈ」→「Ｌ」に切り替えるとき同時にＰＷＭ発生回路１００のイネーブル端子１０１の電位を「Ｌ」→「Ｈ」に切り替えていたが、この方法ではＰＷＭ発生回路１００の動作終了から終端回路３００の動作開始まで若干でもタイムラグが存在すると、インダクタ５００の逆起電力が吸収されなくなり、ポップ音が発生する。
【００３６】
そこで、図９では、終端回路３００がＰＷＭ発生回路１００の動作終了所定時間前から動作を開始するようなオーバーラップ期間t2を設けて、ノードＮ１がフローティング状態にならないようにして、逆起電力によるポップ音発生を完全に防止した。
【００３７】
［第３の実施形態］
図１０は起動時及び停止時のポップ音軽減対策を施した本発明の第３の実施の形態の増幅装置のブロック図である。この実施形態は、ＰＷＭ発生回路１００に対して、可変電流源回路２００と終端回路３００を組み合わせたものであり、図１、図６におけるものと同じものには同じ符号を付けた。
【００３８】
ＰＷＭ発生回路１００の出力端子と可変電流源回路２００の出力端子と終端回路３００の出力端子はカップリングコンデンサ４００の片端のノードＮ１に共通接続されている。ＰＷＭ発生回路１００はイネーブル端子１０１の電位ＥＮPWMの「Ｌ」、「Ｈ」に応じて前記したように動作する。可変電流源回路２００もイネーブル端子２０１の電位ＥＮCCの「Ｌ」、「Ｈ」に応じて前記したように動作する。終端回路３００もイネーブル端子３０１の電位ＥＮTERMの「Ｌ」、「Ｈ」に応じて前記したように動作する。
【００３９】
本実施形態では、図１１に示すシーケンスでイネーブル端子１０１の電位、２０１、３０１を制御し、起動時及び停止時のポップ音を軽減させる。この図１１に示すシーケンスは、図２のシーケンスと図７のシーケンスを組み合わせたものであるので、その詳しい説明は省略する。
【００４０】
図１２は別の例のシーケンスを示す図で、t1のノンオーバーラップ期間を設けた図５のシーケンスと図７のシーケンスを組み合わせたものである。
【００４１】
図１３も別の例のシーケンスを示す図で、起動時においても、図１２のt1のノンオーバーラップ期間に、終端回路３００を動作させるようにしたものである。この期間t1中に終端回路３００を動作させると、ノードＮ１がその期間t1においてもフローティングにならないので、起動時におけるＰＷＭ発生回路１００と可変電流源回路２００の切替時のポップ音軽減動作が安定化する。
【００４２】
図１４も別の例のシーケンスを示す図で、可変電流源回路２００の動作終了前の期間t3からＰＷＭ発生回路１００の動作開始後の期間t4経過までの間（t3＋t1＋t4）だけ終端回路３００を動作させるようにした。すなわち、図１３で示した期間t1よりも前に期間t3だけ早く、後に期間t4だけ長くノードＮ１に終端回路３００により電圧Ｖbiasを供給するようにし、ノードＮ１がより完全にフローティング状態にならないようにして、起動時におけるＰＷＭ発生回路１００と可変電流源回路２００の切替時のポップ音軽減動作をより安定化させたものである。
【００４３】
図１５も別の例のシーケンスを示す図で、図１４に示したシーケンスに図９に示したシーケンスを加えて、ＰＷＭ発生回路１００の動作終了前から終端回路３００を動作させてノードＮ１にバイアス電圧Ｖbiasを供給し、停止時にノードＮ１がフローティング状態にならないようにして、停止時のポップ音軽減動作を安定化させたものである。
【００４４】
【発明の効果】
以上から本発明によれば、スピーカに並列接続するトランジスタやそのトランジスタを制御する制御回路を使用することなく、起動時や停止時のポップ音発生を軽減することができる利点がある。
【図面の簡単な説明】
【図１】  本発明の第１の実施形態の増幅装置のブロック図である。
【図２】  図１の増幅装置の動作のシーケンス図である。
【図３】  図１の増幅装置の可変電流源回路の回路図である。
【図４】  図３の可変電流源回路の動作のタイミング図である。
【図５】  図１の増幅装置の別の例の動作のシーケンス図である。
【図６】  本発明の第２の実施形態の増幅装置のブロック図である。
【図７】  図６の増幅装置の動作のシーケンス図である。
【図８】  図６の終端回路の回路図である。
【図９】  図６の増幅装置の別の例の動作のシーケンス図である
【図１０】  本発明の第３の実施形態の増幅装置のブロック図である。
【図１１】  図１０の増幅装置の動作のシーケンス図である。
【図１２】  図１０の増幅装置の別の例の動作のシーケンス図である。
【図１３】  図１０の増幅装置の別の例の動作のシーケンス図である。
【図１４】  図１０の増幅装置の別の例の動作のシーケンス図である。
【図１５】  図１０の増幅装置の別の例の動作のシーケンス図である。
【図１６】  従来の増幅装置のブロック図である。
【符号の説明】
１００：ＰＷＭ発生回路、１０１：イネーブル端子
２００：可変電流源回路、２０１：イネーブル端子、２０２，２０３：ブリーダ抵抗、２０４〜２０６：ｐＭＯＳトランジスタ、２０７〜２０９：ｎＭＯＳトランジスタ、２１０〜２１２：インバータ、２１３：電圧ホロアからなるバッファ増幅器、２１４，２１５：電流源、２１６，２１７：コンデンサ、２１８：出力端子
３００：終端回路、３０１：イネーブル端子、３０２，３０３：ブリーダ抵抗、３０４：ｐＭＯＳトランジスタ、３０５：ｎＭＯＳトランジスタ、３０６：インバータ、３０７：出力端子
４００：カップリングコンデンサ
５００：ローパスフィルタ用のインダクタ
６００：ローパスフィルタ用のコンデンサ
７００：スピーカ
８００：増幅器
９００：トランジスタ
１０００：トランジスタ制御回路
【図１】
0003916449.tif 000002
【図２】
0003916449.tif 000003
【図３】
0003916449.tif 000004
【図４】
0003916449.tif 000005
【図５】
0003916449.tif 000006
【図６】
0003916449.tif 000007
【図７】
0003916449.tif 000008
【図８】
0003916449.tif 000009
【図９】
0003916449.tif 000010
【図１０】
0003916449.tif 000011
【図１１】
0003916449.tif 000012
【図１２】
0003916449.tif 000013
【図１３】
0003916449.tif 000014
【図１４】
0003916449.tif 000015
【図１５】
0003916449.tif 000016
【図１６】
0003916449.tif 000017